(57)【要約】【課題】２つのコネクタの一方が他方に対して傾いた状態で互いに離れる方向に移動する力が働いた場合であっても、２つのコネクタの嵌合状態および電気的接続が解除されることを抑制することができるコネクタ装置を提供すること。【解決手段】実施形態に係るコネクタ装置は、第１のコネクタと第２のコネクタのうち一方のコネクタにおける当該一方のコネクタのコンタクトの配列方向の端部には、コンタクトの配列方向に突出した突出部が形成される。また、第１のコネクタと第２のコネクタのうち他方のコネクタにおける当該他方のコネクタのコンタクトの配列方向の端部には、一方のコネクタと他方のコネクタとが嵌合状態にあり且つ嵌合状態を解除する方向である抜去方向に対して傾いた状態で互いに離れる方向に移動する力が働いた場合に突出部を係止して嵌合状態の解除を規制する係止部が形成されている。【選択図】図１
2018073747.tif 000002
【特許請求の範囲】
【請求項１】
枠形状の絶縁性の壁部で内部領域を形成する第１のハウジングと、前記第１のハウジングに配列された導電性の部材である複数の第１のコンタクトと、を有する第１のコネクタと、
前記第１のハウジングの前記内部領域に少なくとも一部が挿入可能な絶縁性の第２のハウジングと、前記第２のハウジングに配列された導電性の部材である複数の第２のコンタクトと、を有する第２のコネクタと、を備え、
前記第１のハウジングの前記内部領域に前記第２のハウジングの前記一部を挿入して前記第１のコネクタと前記第２のコネクタとを嵌合させることで、複数の前記第１のコンタクトと複数の前記第２のコンタクトとがそれぞれ電気的に接続されるコネクタ装置であって、
前記第１のコネクタと前記第２のコネクタのうち一方のコネクタにおける当該一方のコネクタの前記コンタクトの配列方向の端部には、前記配列方向に突出した突出部が形成され、
前記第１のコネクタと前記第２のコネクタのうち他方のコネクタにおける当該他方のコネクタの前記コンタクトの配列方向の端部には、前記一方のコネクタと前記他方のコネクタとが嵌合状態にあり且つ前記嵌合状態を解除する方向である抜去方向に対して傾いた状態で互いに離れる方向に移動する力が働いた場合に前記突出部を係止して前記嵌合状態の解除を規制する係止部が形成されている
ことを特徴とするコネクタ装置。
【請求項２】
前記係止部は、前記抜去方向と前記他方のコネクタの前記コンタクトの配列方向とにそれぞれ直交する方向である幅方向に空隙を介して対向し、前記第１のコネクタと前記第２のコネクタとが嵌合される際に前記空隙内に前記突出部が進入する一対の対向部を有し、
前記一対の対向部は、前記第１のコネクタと前記第２のコネクタとが前記抜去方向に対して傾いていない状態で嵌合している場合に、前記抜去方向と平行な方向から見て前記突出部とオーバラップしない位置になり、前記第１のコネクタと前記第２のコネクタとが前記抜去方向に対して傾いている状態で嵌合している場合に、前記抜去方向と平行な方向から見て前記突出部とオーバラップする位置になる
ことを特徴とする請求項１に記載のコネクタ装置。
【請求項３】
前記一対の対向部は、第１の間隔を空けて互いに向かい合う一対の第１の領域と、前記第１の間隔よりも広い第２の間隔を空けて互いに向かい合う一対の第２の領域と、前記第１の領域と前記第２の領域との段差を形成する段差部とを有し、
前記突出部は、前記第１のコネクタと前記第２のコネクタとが嵌合される際に前記一対の第１の領域の間を通過して前記一対の第２の領域の間に進入し、前記第１のコネクタと前記第２のコネクタとが前記抜去方向に対して傾いている状態で嵌合している場合に前記抜去方向と平行な方向から見て前記段差部とオーバラップする位置になる
ことを特徴とする請求項２に記載のコネクタ装置。
【請求項４】
前記突出部が形成された前記一方のコネクタは、前記第１のコネクタであり、
前記第１のコンタクトは、前記第２のコンタクトと接触する突出状の接触部を有し、
前記他方のコネクタに形成された前記段差部は、前記第１のコネクタと前記第２のコネクタとが嵌合状態で、前記抜去方向を上方とした場合に前記接触部よりも下方に位置する
ことを特徴とする請求項３に記載のコネクタ装置。
【請求項５】
前記突出部が形成された前記一方のコネクタは、前記第２のコネクタであり、
前記第１のコンタクトは、前記第２のコンタクトと接触する突出状の接触部を有し、
前記他方のコネクタに形成された前記段差部は、前記第１のコネクタと前記第２のコネクタとが嵌合状態で、前記抜去方向を上方とした場合に前記接触部よりも上方に位置する
ことを特徴とする請求項３に記載のコネクタ装置。
【請求項６】
前記第１のコンタクトは、
前記第１のハウジングに片持ち支持され、ばね性を有するばね部と、前記ばね部に形成され前記第２のコンタクトを互いの間に挟んで接触する第１および第２の接触部とを備える
ことを特徴とする請求項１に記載のコネクタ装置。
【請求項７】
前記突出部は、
前記一方のコネクタの前記ハウジングに形成され、
前記係止部は、
前記他方のコネクタの前記ハウジングに形成される
ことを特徴とする請求項１に記載のコネクタ装置。
【発明の詳細な説明】
【技術分野】
【０００１】
開示の実施形態は、コネクタ装置に関する。
【背景技術】
【０００２】
従来、嵌合可能に構成された２つのコネクタを備えるコネクタ装置が広く用いられている。かかるコネクタ装置として、内部領域が形成されたハウジングに複数のコンタクトが配列された第１のコネクタと、第１のコネクタの内部領域に少なくとも一部が挿入可能なハウジングに複数のコンタクトが配列された第２のコネクタとを備えるコネクタ装置が知られている（例えば、特許文献１参照）。
【０００３】
かかるコネクタ装置では、第１のコネクタの内部領域に第２のコネクタの一部が挿入されることでこれら２つのコネクタが嵌合され、これら２つのコネクタがそれぞれ実装された２つの回路基板間が電気的に接続される。
【先行技術文献】
【特許文献】
【０００４】
【特許文献１】特開２０１３−８９３３３号公報
【発明の概要】
【発明が解決しようとする課題】
【０００５】
しかしながら、コネクタが実装された回路基板上に配置された電子部品の重さなどによって、嵌合状態にある２つのコネクタの一方が他方に対して傾いた状態で互いに離れる方向に移動する力が働く場合がある。このような場合、２つのコネクタの嵌合状態および電気的接続が解除されるおそれがある。
【０００６】
実施形態の一態様は、上記に鑑みてなされたものであって、２つのコネクタの一方が他方に対して傾いた状態で互いに離れる方向に移動する力が働いた場合であっても、２つのコネクタの嵌合状態および電気的接続が解除されることを抑制することができるコネクタ装置を提供することを目的とする。
【課題を解決するための手段】
【０００７】
実施形態の一態様に係るコネクタ装置は、第１のコネクタと、第２のコネクタとを備える。前記第１のコネクタは、枠形状の絶縁性の壁部で内部領域を形成する第１のハウジングと、前記第１のハウジングに配列された導電性の部材である複数の第１のコンタクトとを有する。前記第２のコネクタは、前記第１のハウジングの前記内部領域に少なくとも一部が挿入可能な絶縁性の第２のハウジングと、前記第２のハウジングに配列された導電性の部材である複数の第２のコンタクトとを有する。前記第１のハウジングの前記内部領域に前記第２のハウジングの前記一部を挿入して前記第１のコネクタと前記第２のコネクタとを嵌合させることで、複数の前記第１のコンタクトと複数の前記第２のコンタクトとがそれぞれ電気的に接続される。前記第１のコネクタと前記第２のコネクタのうち一方のコネクタにおける当該一方のコネクタの前記コンタクトの配列方向の端部には、前記配列方向に突出した突出部が形成される。前記第１のコネクタと前記第２のコネクタのうち他方のコネクタにおける当該他方のコネクタの前記コンタクトの配列方向の端部には、係止部が形成される。前記係止部は、前記一方のコネクタと前記他方のコネクタとが嵌合状態にあり且つ前記嵌合状態を解除する方向である抜去方向に対して傾いた状態で互いに離れる方向に移動する力が働いた場合に前記突出部を係止して前記嵌合状態の解除を規制する。
【発明の効果】
【０００８】
実施形態の一態様に係るコネクタ装置によれば、２つのコネクタの一方が他方に対して傾いた状態で互いに離れる方向に移動する力が働いた場合であっても、２つのコネクタの嵌合状態および電気的接続が解除されることを抑制することができる。
【図面の簡単な説明】
【０００９】
【図１】図１は、実施形態に係るコネクタ装置におけるレセプタクルコネクタとプラグコネクタとの嵌合方法を示す図である。
【図２】図２は、図１に示すレセプタクルコネクタとプラグコネクタとが傾いて嵌合している状態を示す図である。
【図３】図３は、図１に示すレセプタクルコネクタの外観斜視図である。
【図４】図４は、図１に示すレセプタクルコネクタの平面図である。
【図５】図５は、図４に示すＡ−Ａ線の矢視断面図である。
【図６】図６は、図４に示すＢ−Ｂ線の矢視断面図である。
【図７】図７は、図１に示すプラグコネクタの外観斜視図である。
【図８】図８は、図１に示すプラグコネクタの平面図である。
【図９】図９は、図８に示すＣ−Ｃ線の矢視断面図である。
【図１０】図１０は、図１に示すプラグコネクタの側面図である。
【図１１】図１１は、嵌合状態にあるレセプタクルコネクタおよびプラグコネクタの外観斜視図である。
【図１２】図１２は、嵌合状態にあるレセプタクルコネクタおよびプラグコネクタの平面図である。
【図１３】図１３は、図１２に示すＤ−Ｄ線の矢視断面図である。
【図１４】図１４は、図１２に示すＥ−Ｅ線の矢視断面図である。
【図１５】図１５は、斜め抜去力が働いた場合の図１２に示すＥ−Ｅ線の矢視断面相当図である。
【図１６】図１６は、斜め抜去力が働いた場合の図１２に示すＤ−Ｄ線の矢視断面相当図である。
【図１７】図１７は、実施形態に係るコネクタ装置における他のプラグコネクタの外観斜視図（その１）である。
【図１８】図１８は、図１７に示すプラグコネクタの平面図である。
【図１９】図１９は、図１８に示すＦ−Ｆ線の矢視断面図である。
【図２０】図２０は、実施形態に係るコネクタ装置における他のプラグコネクタの外観斜視図（その２）である。
【図２１】図２１は、図１に示すレセプタクルコネクタと図２０に示すプラグコネクタとの嵌合状態における図１４に対応する断面図である。
【図２２】図２２は、実施形態に係るコネクタ装置における他のレセプタクルコネクタの外観斜視図（その１）である。
【図２３】図２３は、図２２に示すレセプタクルコネクタの平面図である。
【図２４】図２４は、図２３に示すＧ−Ｇ線の矢視断面図である。
【図２５】図２５は、図２３に示すＨ−Ｈ線の矢視断面図である。
【図２６】図２６は、実施形態に係るコネクタ装置における他のレセプタクルコネクタの外観斜視図（その２）である。
【図２７】図２７は、実施形態に係るコネクタ装置における他のプラグコネクタの外観斜視図（その３）である。
【図２８】図２８は、図２６に示すレセプタクルコネクタと図２７に示すプラグコネクタとの嵌合状態における図１４に対応する断面図である。
【発明を実施するための形態】
【００１０】
以下、添付図面を参照して、本願の開示するコネクタ装置の実施形態を詳細に説明する。なお、以下に示す実施形態によりこの発明が限定されるものではない。
【００１１】
＜１．コネクタ装置の概略＞
まず、図１および図２を参照して実施形態に係るコネクタ装置の概略を説明する。図１に示すように、実施形態に係るコネクタ装置１は、レセプタクルコネクタ１０（第１のコネクタの一例）と、プラグコネクタ２０（第２のコネクタの一例）とを備える。
【００１２】
レセプタクルコネクタ１０は、枠形状の絶縁性の壁部１５で内部領域１７を形成する絶縁性のハウジング１１（第１のハウジングの一例）と、ハウジング１１に配列して配置された導電性の複数のコンタクト１２（第１のコンタクトの一例）とを備える。プラグコネクタ２０は、レセプタクルコネクタ１０におけるハウジング１１の内部領域１７に少なくとも一部が挿入可能な絶縁性のハウジング２１と、ハウジング２１に配列された導電性の部材である複数のコンタクト２２とを備える。
【００１３】
レセプタクルコネクタ１０は、回路基板２上に取り付けられ、プラグコネクタ２０は、回路基板３上に取り付けられる。そして、レセプタクルコネクタ１０におけるハウジング１１の内部領域１７にプラグコネクタ２０のハウジング２１の一部を挿入して、レセプタクルコネクタ１０とプラグコネクタ２０とを嵌合させることで、複数のコンタクト１２と複数のコンタクト２２とがそれぞれ電気的に接続される。これにより、回路基板２上の配線と回路基板３上の配線とが電気的に接続される。
【００１４】
なお、以下においては、説明の便宜上、レセプタクルコネクタ１０に対してプラグコネクタ２０を差し込む方向（Ｚ軸負方向）である挿入方向を「下方向」とし、その逆方向（Ｚ軸正方向）である抜去方向を「上方向」とする。また、コンタクト１２、２２の配列方向（Ｘ軸正負方向）を「左右方向」とし、「上下方向」と「左右方向」の双方に直交する方向（Ｙ軸正負方向）を「前後方向」とする。
【００１５】
回路基板２、３に配置される回路部品の重さや回路基板自体の重さなどによって、レセプタクルコネクタ１０とプラグコネクタ２０とが傾いて嵌合した状態において、これらに対し互いに離れる方向に移動する力が働くおそれがある。図２に示す例では、回路部品４（例えば、半導体チップ）および回路基板３の重さのバランス（例えば、回路部品４の実装による回路基板３の重心のずれ）によって、レセプタクルコネクタ１０とプラグコネクタ２０とが傾いて嵌合した状態において、これらに対し互いに離れる方向に移動する力（以下、斜め抜去力と記載する場合がある）が働いている。
【００１６】
実施形態に係るコネクタ装置１は、このような斜め抜去力が働いた場合であっても、２つのコネクタの嵌合状態および電気的接続が解除されることを抑制できるように、突出部１３、１３および係止部２３、２３を備える。突出部１３、１３は、レセプタクルコネクタ１０の左右の端部にそれぞれ形成され、ハウジング１１の壁部１５から左右方向に突出する。また、係止部２３、２３は、プラグコネクタ２０の左右の端部にそれぞれ形成される。
【００１７】
係止部２３、２３は、レセプタクルコネクタ１０とプラグコネクタ２０とが嵌合状態にあり且つ嵌合状態を解除する方向である抜去方向に対して傾いた状態で互いに離れる方向に移動する力が働いた場合に突出部１３、１３を係止して嵌合状態の解除を規制する。
【００１８】
これにより、レセプタクルコネクタ１０およびプラグコネクタ２０の一方が他方に対して傾いた状態で互いに離れる方向に移動する力が働いた場合であっても、レセプタクルコネクタ１０とプラグコネクタ２０との嵌合状態および電気的接続が解除されることを抑制することができる。以下、レセプタクルコネクタ１０とプラグコネクタ２０とが電気的に接続されている状態で嵌合している状態を「嵌合状態」として説明する。
【００１９】
＜２．レセプタクルコネクタ１０＞
次に、図３〜図６を参照してレセプタクルコネクタ１０の構成を具体的に説明する。上述したように、レセプタクルコネクタ１０は、ハウジング１１と、複数のコンタクト１２と、ハウジング１１の左右の端部にそれぞれ形成され左右方向に突出した突出部１３、１３とを備える。
【００２０】
ハウジング１１は、合成樹脂等の絶縁部材で形成されており、左右方向を長手方向とする底部１４（図５および図６参照）と、底部１４から上方に突出する枠形状の壁部１５（図３および図４参照）と、壁部１５の内部領域１７の中央部分に底部１４から上方に突出して左右方向に延伸する凸状の凸条部１６と（図３および図４参照）を備える。
【００２１】
壁部１５は、前方に形成された前壁部１５ａと、後方に形成された後壁部１５ｂと、右方に形成された右壁部１５ｃと、左方に形成された左壁部１５ｄとを有する。これら前壁部１５ａ、後壁部１５ｂ、右壁部１５ｃおよび左壁部１５ｄには、凸条部１６が形成された内部領域１７へ向けて下り勾配の傾斜面９１〜９４（図３および図４参照）が形成されており、かかる傾斜面９１〜９４は、レセプタクルコネクタ１０に対するプラグコネクタ２０の挿入をガイドするガイド部として機能する。
【００２２】
前壁部１５ａ、底部１４および後壁部１５ｂには、上下方向および前後方向に沿って形成された複数の溝部１８が左右方向に等間隔に配列される。また、凸条部１６には、溝部１８と前後方向で対向する位置に、上下方向に沿って形成された複数の溝部１９が左右方向に等間隔に配列される。かかる溝部１８、１９に複数のコンタクト１２が取り付けられることで、左右方向に配置される複数のコンタクト１２の列が前後で２列形成される。
【００２３】
図５に示すように、前壁部１５ａの溝部１８と凸条部１６の前方の溝部１９とに前方側のコンタクト１２が取り付けられ、後壁部１５ｂの溝部１８と凸条部１６の後方の溝部１９とに後方側のコンタクト１２が取り付けられる。溝部１８、１９へのコンタクト１２の取り付けは、例えば圧入または係止によって行われる。なお、各コンタクト１２は、ベリリウム銅やリン青銅、チタン銅等の弾性を有する導電性の材料で構成される。また、図３〜５等に示すレセプタクルコネクタ１０は、２列のコンタクト列が形成されるが、コンタクト列は、１つであってもよく、３つ以上であってもよい。
【００２４】
各コンタクト１２は、回路基板２（図１参照）に設けられた複数の配線端子（不図示）にそれぞれ半田等によって電気的に接続される基板接続部１２ａと、ハウジング１１の壁部１５に片持ち支持され、ばね性を有するばね部１２ｂとを備える。
【００２５】
基板接続部１２ａは、底部１４と略平行に形成され、先端が壁部１５から遠ざかるように延伸しており、かかる基板接続部１２ａの基端にはばね部１２ｂの基端が連続する。ばね部１２ｂは、壁部１５、底部１４および凸条部１６に沿って蛇行状に形成されおり、基端から先端にかけて後述する基端下部５１、基端上部５２および先端部５３が形成される。
【００２６】
前方に位置するコンタクト１２のばね部１２ｂ（以下、前方のばね部１２ｂと記載する）は、基端下部５１が前壁部１５ａに固定され、後方に位置するコンタクト１２のばね部１２ｂ（以下、後方のばね部１２ｂと記載する）は、基端下部５１が後壁部１５ｂに固定される。
【００２７】
前方のばね部１２ｂの基端上部５２は、基端に連続する基端下部５１を介して前壁部１５ａに支持されつつ、中途部分が前壁部１５ａから遠ざかるように前方へ一部が突出し、先端が前壁部１５ａの上方に位置する湾曲形状を有しており、前後方向にばね性を有している。同様に、後方のばね部１２ｂの基端上部５２は、基端に連続する基端下部５１を介して後壁部１５ｂに支持されつつ、中途部分が後壁部１５ｂから遠ざかるように後方へ一部が突出し、先端が後壁部１５ｂの上方に位置する湾曲形状を有しており、前後方向にばね性を有している。
【００２８】
ばね部１２ｂの先端部５３は、基端上部５２の先端に連続し、ハウジング１１に形成された壁部１５、底部１４および凸条部１６に沿って形成される。かかる先端部５３は、壁部１５、底部１４および凸条部１６に対して前後方向および上下方向において空隙を介している。このように、先端部５３は、弾性を有する基端上部５２を介して基端下部５１に支持され、かつ、ハウジング１１から浮いた状態で配置されることから、ばね部１２ｂの先端部５３は、前後方向および上下方向に移動可能である。
【００２９】
ばね部１２ｂの先端部５３は、前後方向に互いに対向し、互いに近づくように突出する突出状の第１および第２の接触部５４、５５を備える。かかる第１および第２の接触部５４、５５は、プラグコネクタ２０のコンタクト２２を互いに挟んで接触することができる。
【００３０】
図３、図４および図６に示すように、複数の突出部１３は、それぞれ右壁部１５ｃの上部および左壁部１５ｄの上部から突出して形成される。かかる複数の突出部１３は、合成樹脂等の絶縁部材で形成され、ハウジング１１に一体的に形成されているが、後述するように、導電部材を用いてハウジング１１とは別体に形成することもできる。
【００３１】
右端部の突出部１３は、右壁部１５ｃの内壁における前後方向の中央部分から左方向へ突出して形成され、上部に前方向、後方向および左方向にそれぞれ下り勾配を有する複数の傾斜面１３ｂ〜１３ｄが形成される。また、左端部の突出部１３は、左壁部１５ｄの内壁における前後方向の中央部分から右方向へ突出して形成され、上部には前方向、後方向および右方向にそれぞれ下り勾配を有する複数の傾斜面１３ｂ〜１３ｄが形成される。
【００３２】
突出部１３の上部には、平坦面１３ａが形成されており、かかる平坦面１３ａは、壁部１５（右壁部１５ｃおよび左壁部１５ｄ）の上面と同じ高さ位置に壁部１５の上面から連続して形成される。また、突出部１３の底面部１３ｅ（図６参照）は、前後方向および左右方向にそれぞれ略平行な平坦面であるが、嵌合状態にあるレセプタクルコネクタ１０とプラグコネクタ２０とに斜め抜去力が働いた場合に、係止部２３に係止される構成であればよく、傾斜面や凹凸があってもよい。
【００３３】
＜３．プラグコネクタ２０＞
次に、図７〜図１０を参照してプラグコネクタ２０の構成を説明する。上述したように、プラグコネクタ２０は、ハウジング２１と、複数のコンタクト２２と、左右の係止部２３、２３とを備える。
【００３４】
ハウジング２１は、合成樹脂等の絶縁部材で形成されており、図７および図９に示すように、左右方向を長手方向とする矩形状の基部２４と、かかる基部２４から下方（Ｚ軸負方向）に突出した枠形状の壁部２５とを備える。
【００３５】
壁部２５は、図７および図８に示すように、前方に形成された前壁部２５ａと、後方に形成された後壁部２５ｂと、右方に形成された右壁部２５ｃと、左方に形成された左壁部２５ｄとを有する。前壁部２５ａおよび後壁部２５ｂには、複数のコンタクト２２が、左右方向に等間隔に配列するように例えばインサート成形により一部が埋め込まれる。各コンタクト２２は、レセプタクルコネクタ１０のコンタクト１２と同様に導電性の部材で構成される。
【００３６】
コンタクト２２は、図９に示すように、回路基板３（図１参照）の上面に設けられた配線端子に半田付け等によって電気的に接続される基板接続部２２ａと、レセプタクルコネクタ１０におけるコンタクト１２に接続される湾曲部２２ｂとを有する。
【００３７】
湾曲部２２ｂは、基板接続部２２ａから下方（Ｚ軸負方向）へ延びて中途部分から上方（Ｚ軸正方向）へ折り返すＵ字状の形状を有し、ハウジング２１の壁部２５から露出するようにハウジング２１に埋め込まれる。各湾曲部２２ｂには、基板接続部２２ａから下方へ延びる部分の上下方向の略中央部分に凹部２２ｃが形成されており、レセプタクルコネクタ１０とプラグコネクタ２０とが嵌合される際に第１の接触部５４が凹部２２ｃに当接する。
【００３８】
前壁部２５ａに等間隔に複数のコンタクト２２が配列されて前方のコンタクト列が形成され、後壁部２５ｂに等間隔に複数のコンタクト２２が配列されて後方のコンタクト列が形成される。なお、図７〜９等に示すプラグコネクタ２０は、２列のコンタクト列が形成されるが、プラグコネクタ２０のコンタクト列の数は、レセプタクルコネクタ１０に対応した数であり、１つであってもよく、３つ以上であってもよい。
【００３９】
左右の係止部２３、２３は、図７および図８に示すように、プラグコネクタ２０の左右の端部に形成される。各係止部２３は、プラグコネクタ２０の幅方向である前後方向（Ｙ軸方向）に空隙２８を介して対向する一対の対向部３１、４１を有する。レセプタクルコネクタ１０にプラグコネクタ２０が差し込まれて嵌合される際に空隙２８内にレセプタクルコネクタ１０の突出部１３が進入する。なお、対向部３１と対向部４１とは互いに面対称に形成される。
【００４０】
一対の対向部３１、４１は、図７および図１０に示すように、第１の間隔Ｄ１を空けて互いに向かい合う一対の第１の領域３２、４２と、第１の間隔Ｄ１よりも広い第２の間隔Ｄ２を空けて互いに向かい合う一対の第２の領域３３、４３と、一対の段差部３４、４４とを有する。第１の間隔Ｄ１は、第１の領域３２、４２の間に突出部１３が進入できるように、突出部１３の幅（左右方向の長さ）よりも広い。
【００４１】
一対の第１の領域３２、４２は、一対の第２の領域３３、４３よりも下方（Ｚ軸負方向）に形成されており、突出部１３は、レセプタクルコネクタ１０とプラグコネクタ２０とが嵌合される際に、一対の第１の領域３２、４２の間を通過して一対の第２の領域３３、４３の間に進入する。
【００４２】
一対の段差部３４、４４は、一対の第１の領域３２、４２と一対の第２の領域３３、４３との段差を形成する。かかる一対の段差部３４、４４は、嵌合状態にあるレセプタクルコネクタ１０とプラグコネクタ２０とに斜め抜去力が働いた場合に突出部１３を係止して嵌合状態が解除されることを規制する。なお、図１０に示す段差部３４、４４は、第１の領域３２、４２の延伸方向である上下方向に対して直交する方向である前後方向および左右方向に沿って形成される平坦面を有しているが、突出部１３を係止できる構成であればよく、例えば、傾斜面や凹凸面であってもよい。以下、レセプタクルコネクタ１０とプラグコネクタ２０との嵌合および抜去について具体的に説明する。
【００４３】
＜４．嵌合および抜去＞
次に、図１１〜図１６を参照してレセプタクルコネクタ１０とプラグコネクタ２０との嵌合および抜去について説明する。
【００４４】
図１１および図１２に示す状態では、レセプタクルコネクタ１０に対してプラグコネクタ２０が傾斜せずに嵌合している。この場合、図１３に示すように、レセプタクルコネクタ１０のコンタクト１２に形成された第１および第２の接触部５４、５５が、プラグコネクタ２０のコンタクト２２を互いに挟んで接触する。これにより、コンタクト１２とコンタクト２２とが電気的に接続される。
【００４５】
図１３に示す状態では、コンタクト１２のばね部１２ｂが壁部１５および底部１４に接触しており、これにより、レセプタクルコネクタ１０に対してプラグコネクタ２０を安定的に嵌合させることができる。また、第１の接触部５４は、コンタクト２２の凹部２２ｃに当接しており、かかる凹部２２ｃによって第１の接触部５４の上下方向の移動を規制することができる。
【００４６】
レセプタクルコネクタ１０とプラグコネクタ２０とが嵌合される際に、突出部１３が一対の第１の領域３２、４２の間を通過して一対の第２の領域３３、４３の間に進入する。そして、レセプタクルコネクタ１０に対してプラグコネクタ２０が傾斜せずに嵌合している場合、突出部１３と係止部２３との関係は図１４に示す状態になる。すなわち、突出部１３は、一対の第２の領域３３、４３の間に位置した状態になる。
【００４７】
なお、第１の領域３２、４２の下部には曲面３５、４５が形成されており、また、突出部１３には傾斜面１３ｂ、１３ｃが形成されているため、係止部２３における一対の対向部３１、４１によって形成される空隙２８へ係止部２３を容易に進入させることができる。
【００４８】
突出部１３と係止部２３との関係が図１４に示す状態である場合、抜去方向と平行な方向である上下方向から見て突出部１３の位置は一対の対向部３１、４１とオーバラップしない位置である。したがって、レセプタクルコネクタ１０に対してプラグコネクタ２０を抜去方向である上方向へ移動させた場合、突出部１３は一対の対向部３１、４１によって係止されずに、一対の第２の領域３３、４３の間および一対の第１の領域３２、４２の間を通過する。これにより、レセプタクルコネクタ１０に対してプラグコネクタ２０を抜去することができる。
【００４９】
図１１に示す状態から斜め抜去力が働いた場合（図２参照）、レセプタクルコネクタ１０に対してプラグコネクタ２０が傾き、一対の対向部３１、４１のうち一方は、抜去方向と平行な方向である上下方向から見て突出部１３とオーバラップする位置になる。例えば、上下方向から見て突出部１３が一対の段差部３４、４４のうちの一方とオーバラップする位置になる。
【００５０】
レセプタクルコネクタ１０とプラグコネクタ２０とが傾斜せずに嵌合している場合においては、レセプタクルコネクタ１０の第１の接触部５４は、プラグコネクタ２０の一対の段差部３４、４４よりも上方に位置する。そのため、嵌合後にレセプタクルコネクタ１０に対しプラグコネクタ２０が抜去方向に対して後方に傾いた場合、図１５に示すように、後方の第１の接触部５４を支点として、一対の段差部３４、４４のうちの後方の段差部４４が前方へ移動する。かかる移動によって段差部４４は突出部１３と上下方向から見てオーバラップする位置になり、突出部１３の底面部１３ｅが段差部４４に接触する。これにより、突出部１３が段差部４４によって係止され、レセプタクルコネクタ１０とプラグコネクタ２０との嵌合状態の解除が規制される。
【００５１】
一方、嵌合後にレセプタクルコネクタ１０に対してプラグコネクタ２０が抜去方向に対して前方に傾いた場合、前方の第１の接触部５４を支点として、前方の段差部３４が後方へ移動して突出部１３と上下方向から見てオーバラップする位置になり、突出部１３が段差部３４によって係止される。この場合も、突出部１３が段差部３４によって係止され、レセプタクルコネクタ１０とプラグコネクタ２０との嵌合状態の解除が規制される。
【００５２】
また、図１３に示すように、プラグコネクタ２０のコンタクト２２は、レセプタクルコネクタ１０におけるコンタクト１２のばね部１２ｂによって挟持される。かかるばね部１２ｂは上述したようにばね性を有しており、前後方向および上下方向に移動可能である。そのため、図１６に示すように、レセプタクルコネクタ１０に対しプラグコネクタ２０が抜去方向に対して後方に傾いた場合であっても、コンタクト２２は、コンタクト１２のばね部１２ｂによって挟持された状態を維持することができる。また、ばね部１２ｂの前後方向および上下方向の移動によって、上下方向から見て段差部３４、４４を突出部１３とオーバラップする位置に移動することができる。
【００５３】
また、図１３および図１６に示すようにばね部１２ｂに形成された第１の接触部５４は、凹部２２ｃに当接しており、かかる凹部２２ｃによって第１の接触部５４の移動が規制される。そのため、かかる凹部２２ｃによってもレセプタクルコネクタ１０とプラグコネクタ２０との嵌合状態の解除を規制することができる。
【００５４】
このように、実施形態に係るコネクタ装置１では、抜去方向に対して斜め抜去力が働いた場合、レセプタクルコネクタ１０とプラグコネクタ２０との嵌合状態が解除されることを抑制することができる。
【００５５】
＜５．コネクタ装置１の他の構成＞
以下、コネクタ装置１の他のいくつかの構成例を図１７〜図２８を参照して説明する。なお、上述したコネクタ装置１と同様の機能を有する構成については同一の符号を付して説明を省略するものとし、上述したコネクタ装置１と異なる点を主として説明する。
【００５６】
まず、図１７〜図１９に示すプラグコネクタ２０について説明する。図１７に示すプラグコネクタ２０は、係止部２３の一部が金属部材で形成される点で、図７に示すプラグコネクタ２０の係止部２３と異なる。図１７に示す係止部２３は、一部が金属部材で形成される一対の対向部３１Ａ、４１Ａを備える。
【００５７】
具体的には、図１９に示すように、一対の対向部３１Ａ、４１Ａは、第１の間隔Ｄ１を空けて互いに向かい合う一対の第１の領域３２Ａ、４２Ａと、第２の間隔Ｄ２を空けて互いに向かい合う一対の第２の領域３３Ａ、４３Ａと、一対の段差部３４Ａ、４４Ａとを有する。これら一対の第１の領域３２Ａ、４２Ａ、第２の領域３３Ａ、４３Ａおよび一対の段差部３４Ａ、４４Ａは、コンタクト２２と同様の金属部材によって形成される。
【００５８】
具体的には、対向部３１Ａは、細長状の金属板に折り曲げ加工を施すことによって形成された金属部材７０と、金属部材７０を支持する絶縁性の支持部７１とを備える。金属部材７０は、回路基板３に設けられた接続端子（不図示）にそれぞれ半田等によって電気的に接続される基板接続部７２が基端部に形成され、第１の領域３２Ａ、第２の領域３３Ａおよび段差部３４Ａが先端部に形成される。
【００５９】
金属部材７０は、第２の領域３３Ａよりも先端の部分が折り返されて第１の領域３２Ａが形成され、先端面が段差部３４Ａとして形成される。金属部材７０は、第１の領域３２Ａ、第２の領域３３Ａ、段差部３４Ａおよび基板接続部７２が支持部７１から露出するように、例えばインサート成形により支持部７１に一部が埋め込まれる。なお、支持部７１は、ハウジング２１と同じ材料でハウジング２１と一体的に形成される。
【００６０】
同様に、対向部４１Ａは、細長状の金属板を折り曲げ加工を施すことによって形成された金属部材７３と、金属部材７３を支持する絶縁性の支持部７４とを備える。金属部材７３は、回路基板３に設けられた接続端子（不図示）にそれぞれ半田等によって電気的に接続される基板接続部７５が基端部に形成され、第１の領域４２Ａ、第２の領域４３Ａおよび段差部４４Ａが先端部に形成される。
【００６１】
金属部材７３は、第２の領域４３Ａよりも先端の部分が折り返されて第１の領域４２Ａが形成され、先端面が段差部４４Ａとして形成される。金属部材７３は、第１の領域４２Ａ、第２の領域４３Ａ、段差部４４Ａおよび基板接続部７５が支持部７４から露出するように、例えばインサート成形により支持部７４に一部が埋め込まれる。なお、支持部７４は、ハウジング２１と同じ材料でハウジング２１と一体的に形成される。
【００６２】
このように、図１７に示す係止部２３は、一対の第１の領域３２Ａ、４２Ａ、第２の領域３３Ａ、４３Ａおよび一対の段差部３４Ａ、４４Ａが金属部材で形成されていることから、図７に示す係止部２３に比べて、強度を高めることができる。また、金属部材７０、７３の厚みを変更することによって左右方向（Ｘ軸方向）における各段差部３４Ａ、４４Ａの長さを容易に調整することができる。また、先端および基端の端面が略平坦な細長状の金属板を金属部材７０、７３として用いることによって、段差部３４Ａを容易に平坦面にすることができる。
【００６３】
また、図１７に示す係止部２３は、回路基板３に形成される接続端子に接続される基板接続部７２、７５を有している。そのため、回路基板３の接続端子に基板接続部７２、７５が半田等によって接続されることで、プラグコネクタ２０と回路基板３との接続強度を高めることができる。
【００６４】
特に、図１８に示すように、基板接続部７２、７５は、基板接続部２２ａに比べ幅方向（左右方向）の長さが長く、また、突出部１３が係合する段差部３４Ａ、４４Ａと左右方向で同じ位置にある。そのため、回路基板３の接続端子に基板接続部７２、７５が半田等によって接続されることで、プラグコネクタ２０と回路基板３との接続強度を斜め抜去力に対して効果的に高めることができる。
【００６５】
次に、図２０および図２１に示すプラグコネクタ２０について説明する。図２０に示すプラグコネクタ２０の係止部２３は、図７に示すプラグコネクタ２０の係止部２３に対し、一対の第２の領域３３、４３および一対の段差部３４、４４が設けられていない点で係止部２３と異なり、その他の構成は係止部２３と同じである。
【００６６】
図２０に示すプラグコネクタ２０の係止部２３は、断面視矩形状の一対の対向部３１Ｂ、４１Ｂを備える。かかる一対の対向部３１Ｂ、４１Ｂは、第１の間隔Ｄ１を空けて互いに向かい合い上下方向に延伸する一対の第１の領域３２Ｂ、４２Ｂと、第１の領域３２Ｂ、４２Ｂに連続し、前後方向および左右方向に平行な平坦面を有する平坦部３６Ｂ、４６Ｂとを備える。かかる平坦部３６Ｂ、４６Ｂは、段差部３４、４４に対応する位置に形成され、平坦面が係止面として突出部１３を係止する機能を有する。
【００６７】
レセプタクルコネクタ１０と図２０に示すプラグコネクタ２０とが傾斜せずに嵌合している場合、第１の接触部５４は、平坦部３６Ｂ、４６Ｂよりも上方に位置する。そのため、レセプタクルコネクタ１０に対して図２０に示すプラグコネクタ２０が抜去方向に対して後方に傾いた場合、図２１に示すように、後方の第１の接触部５４を支点として、平坦部４６Ｂが前方へ移動して、平坦部４６Ｂが上下方向から見た場合に突出部１３とオーバラップする位置になって突出部１３に接触する。これにより、平坦部４６Ｂが突出部１３によって係止され、レセプタクルコネクタ１０とプラグコネクタ２０との嵌合状態の解除が規制される。
【００６８】
一方、レセプタクルコネクタ１０に対して図２０に示すプラグコネクタ２０が抜去方向に対して前方に傾いた場合、前方の第１の接触部５４を支点として、平坦部３６Ｂが後方へ移動して、平坦部３６Ｂが突出部１３とオーバラップする位置になって突出部１３に接触し、これにより、平坦部３６Ｂが突出部１３によって係止される。この場合も、レセプタクルコネクタ１０とプラグコネクタ２０との嵌合状態の解除が規制される。
【００６９】
図２０に示す一対の対向部３１Ｂ、４１Ｂは、一対の第２の領域３３、４３（図７参照）が形成されていないため、図７に示す一対の対向部３１、４１に比べて、軽量化を図ることができる。一方、図７に示す一対の対向部３１、４１は、一対の第２の領域３３、４３を形成する部材を有しているため、図２０に示す一対の対向部３１Ｂ、４１Ｂに比べて、例えば前後方向の強度を高めることができる。なお、上述した平坦部３６Ｂ、４６Ｂは、嵌合状態にあるレセプタクルコネクタ１０とプラグコネクタ２０とに斜め抜去力が働いた場合に、係止部２３に係止される構成であればよく、傾斜面や凹凸があってもよい。
【００７０】
次に、図２２〜図２５に示すレセプタクルコネクタ１０について説明する。図２２に示すレセプタクルコネクタ１０は、突出部１３の一部が金属部材で形成される点で、図３に示すレセプタクルコネクタ１０の突出部１３と異なる。図２２〜図２５に示す突出部１３は、金属板を折り曲げ加工を施すことによって形成された金属部材８１と、金属部材８１を支持する絶縁性の支持部８２とを備える。
【００７１】
金属部材８１の基端部には、回路基板２に設けられた接続端子（不図示）にそれぞれ半田等によって電気的に接続される基板接続部８３が形成され、金属部材８１の先端部が突出部１３の底面部１３ｅとして左方向または右方向に突出する。金属部材８１は、支持部８２に支持されており、底面部１３ｅとして機能する先端部と基板接続部８３とが支持部８２から露出するように、例えばインサート成形により支持部８２に一部が埋め込まれる。なお、支持部８２は、ハウジング１１と同じ材料でハウジング１１と一体的に形成される。
【００７２】
このように、図２２に示す突出部１３は、底面部１３ｅが金属部材で形成されていることから、図３に示す突出部１３に比べて、強度を高めることができる。また、図２２に示す突出部１３は、回路基板２に形成される接続端子に接続される基板接続部８３を有している。そのため、回路基板２の接続端子に基板接続部８３が半田等によって接続されることで、レセプタクルコネクタ１０と回路基板２との接続強度を高めることができる。なお、底面部１３ｅとして機能する先端部と同様に、金属部材８１の基端部を左右方向に折り曲げることによって、基板接続部８３において、回路基板２に接続可能な面積を大きくしてもよい。
【００７３】
上述した実施形態では、レセプタクルコネクタ１０に突出部１３を設け、プラグコネクタ２０に係止部２３を設けたが、図２６〜図２８に示すように、レセプタクルコネクタ１０に係止部２３を設け、プラグコネクタ２０に突出部１３を設けることもできる。
【００７４】
図２６に示すレセプタクルコネクタ１０の係止部２３、２３は、一対の対向部３１Ｃ、４１Ｃを備える。かかる一対の対向部３１Ｃ、４１Ｃは、それぞれ右壁部１５ｃおよび左壁部１５ｄに形成される。各係止部２３は、図７および図１７に示す係止部２３と同様に、第１の間隔Ｄ１を空けて互いに向かい合う一対の第１の領域３２Ｃ、４２Ｃと、第２の間隔Ｄ２を空けて互いに向かい合う一対の第２の領域３３Ｃ、４３Ｃと、一対の段差部３４Ｃ、４４Ｃとを有する。
【００７５】
また、図２７に示すプラグコネクタ２０は、右壁部２５ｃから右方に突出する右方の突出部１３と、左壁部２５ｄから左方へ突出する左方の突出部１３とを備える。かかる突出部１３は、図３に示すレセプタクルコネクタ１０の突出部１３と同様に構成されている。
【００７６】
図２６に示すレセプタクルコネクタ１０と図２７に示すプラグコネクタ２０とが傾かずに嵌合している場合、断面視で図２８の上図に示す状態になる。かかる状態において、レセプタクルコネクタ１０の係止部２３における一対の段差部３４Ｃ、４４Ｃは、プラグコネクタ２０の突出部１３よりも上方に位置している。かかる状態から斜め抜去力が働いた場合には、図２８の下図に示すように、プラグコネクタ２０の突出部１３がレセプタクルコネクタ１０の係止部２３に係止され、レセプタクルコネクタ１０とプラグコネクタ２０との嵌合状態の解除が規制される。
【００７７】
なお、図２６に示す係止部２３、２３は、右壁部１５ｃおよび左壁部１５ｄに形成されているが、右壁部１５ｃおよび左壁部１５ｄとは別に設けてもよい。例えば、右壁部１５ｃと凸条部１６との間と左壁部１５ｄと凸条部１６との間に係止部２３、２３を設けてもよい。
【００７８】
また、図２６に示す係止部２３を図１７に示す係止部２３と同様に少なくとも一部または全部を金属部材で形成してもよく、図２７に示す突出部１３を図２２に示す突出部１３と同様に少なくとも一部または全部を金属部材で形成してもよい。
【００７９】
また、上述した実施形態では、突出部１３を左右の各端部に１つずつ設け、係止部２３を左右の各端部に１つずつ設ける例を説明したが、突出部１３および係止部２３は、左右の一方の端部に各１つ設けてもよい。また、突出部１３を左右の各端部に２つずつ設け、係止部２３を左右の各端部に２つずつ設けてもよい。
【００８０】
対向部３１（３１Ａ〜３１Ｃ）と対向部４１（４１Ａ〜４１Ｃ）は互いに面対称に形成されるが、突出部１３を係止できる構成であれば、対向部３１（３１Ａ〜３１Ｃ）と対向部４１（４１Ａ〜４１Ｃ）とは面対称に形成されなくてもよい。
【００８１】
以上のように、実施形態に係るコネクタ装置１は、レセプタクルコネクタ１０（第１のコネクタの一例）と、プラグコネクタ２０（第２のコネクタの一例）とを備える。レセプタクルコネクタ１０は、枠形状の絶縁性の壁部１５で内部領域１７を形成するハウジング１１（第１のハウジングの一例）と、ハウジング１１に配列された導電性の部材である複数のコンタクト１２（第１のコンタクトの一例）とを有する。プラグコネクタ２０は、ハウジング１１の内部領域１７に少なくとも一部が挿入可能な絶縁性のハウジング２１（第２のハウジングの一例）と、ハウジング２１に配列された導電性の部材である複数のコンタクト２２（第２のコンタクトの一例）とを有する。ハウジング１１の内部領域１７にハウジング２１の一部を挿入してレセプタクルコネクタ１０とプラグコネクタ２０とを嵌合させることで、複数のコンタクト１２と複数のコンタクト２２とがそれぞれ電気的に接続される。レセプタクルコネクタ１０とプラグコネクタ２０のうち一方のコネクタの左右方向の端部には、コンタクト１２、２２の配列方向に突出した突出部１３が形成される。レセプタクルコネクタ１０とプラグコネクタ２０のうち他方のコネクタの左右方向の端部には、レセプタクルコネクタ１０とプラグコネクタ２０とが嵌合状態にあり且つこの嵌合状態を解除する方向である抜去方向に対して傾いた状態で互いに離れる方向に移動する力が働いた場合に突出部１３を係止して嵌合状態の解除を規制する係止部２３が形成されている。これにより、レセプタクルコネクタ１０およびプラグコネクタ２０の一方が他方に対して傾いた状態で互いに離れる方向に移動する力が働いた場合であっても、レセプタクルコネクタ１０とプラグコネクタ２０との嵌合状態が解除されることを抑制することができる。
【００８２】
また、係止部２３は、抜去方向とコンタクト１２、２２の配列方向とにそれぞれ直交する幅方向に空隙２８を介して対向し、レセプタクルコネクタ１０とプラグコネクタ２０とが嵌合される際に空隙２８内に突出部１３が進入する一対の対向部３１、４１（３１Ａ〜Ｃ、４１Ａ〜Ｃ）を有する。一対の対向部３１、４１（３１Ａ〜Ｃ、４１Ａ〜Ｃ）は、レセプタクルコネクタ１０とプラグコネクタ２０とが抜去方向に対して傾いていない状態で嵌合している場合に、抜去方向と平行な方向から見て突出部１３とオーバラップしない位置になる。一方、レセプタクルコネクタ１０とプラグコネクタ２０とが抜去方向に対して傾いている状態で嵌合している場合に、一対の対向部３１、４１（３１Ａ〜Ｃ、４１Ａ〜Ｃ）は、抜去方向と平行な方向から見て突出部１３とオーバラップする位置になる。これにより、コネクタ装置１の幅方向を前後方向とした場合に、前方へ傾いた場合および後方へ傾いた場合のいずれの場合であっても、レセプタクルコネクタ１０とプラグコネクタ２０との嵌合状態が解除されることを抑制することができる。
【００８３】
また、一対の対向部３１、４１（３１Ａ、３１Ｃ、４１Ａ、４１Ｃ）は、第１の間隔Ｄ１を空けて互いに向かい合う一対の第１の領域３２、４２（３２Ａ、３２Ｃ、４２Ａ、４２Ｃ）と、第１の間隔Ｄ１よりも広い第２の間隔Ｄ２を空けて互いに向かい合う一対の第２の領域３３、４３（３３Ａ、３３Ｃ、４３Ａ、４３Ｃ）と、一対の第１の領域３２、４２（３２Ａ、３２Ｃ、４２Ａ、４２Ｃ）と一対の第２の領域３３、４３（３３Ａ、３３Ｃ、４３Ａ、４３Ｃ）との段差を形成する一対の段差部３４、４４（３４Ａ、３４Ｃ、４４Ａ、４４Ｃ）とを有する。突出部１３は、レセプタクルコネクタ１０とプラグコネクタ２０とが嵌合される際に一対の第１の領域３２、４２（３２Ａ、３２Ｃ、４２Ａ、４２Ｃ）の間を通過して一対の第２の領域３３、４３（３３Ａ、３３Ｃ、４３Ａ、４３Ｃ）の間に進入する。そして、レセプタクルコネクタ１０とプラグコネクタ２０が抜去方向に対して傾いている状態で嵌合している場合に抜去方向と平行な方向から見て突出部１３が段差部３４、４４（３４Ａ、３４Ｃ、４４Ａ、４４Ｃ）とオーバラップする位置になる。これにより、レセプタクルコネクタ１０とプラグコネクタ２０とを嵌合させる際に、一対の第１の領域３２、４２（３２Ａ、３２Ｃ、４２Ａ、４２Ｃ）をガイドとして機能させつつ、一対の第２の領域３３、４３（３３Ａ、３３Ｃ、４３Ａ、４３Ｃ）を形成することで、段差部３４、４４（３４Ａ、３４Ｃ、４４Ａ、４４Ｃ）を容易に形成することができる。また、一対の第２の領域３３、４３（３３Ａ、３３Ｃ、４３Ａ、４３Ｃ）を形成する部材を有しているため、かかる一対の第２の領域がない場合に比べ、上下前後方向の強度を高めることができる。
【００８４】
また、突出部１３が形成された一方のコネクタは、図３、図１４および図２２等に示すように、レセプタクルコネクタ１０であり、コンタクト１２は、コンタクト２２と接触する突出状の第１の接触部５４を有する。プラグコネクタ２０に形成された段差部３４、４４（３４Ａ、３４Ｃ、４４Ａ、４４Ｃ）は、レセプタクルコネクタ１０とプラグコネクタ２０とが嵌合状態で、抜去方向を上方とした場合に接触部５４よりも下方に位置する。これにより、コンタクト２２と接触する第１の接触部５４を支点として、突出部１３を段差部３４、４４（３４Ａ、３４Ｃ、４４Ａ、４４Ｃ）とオーバラップする位置に移動させることができる。
【００８５】
また、突出部１３が形成された一方のコネクタは、図２７および図２８に示すように、プラグコネクタ２０である。レセプタクルコネクタ１０に形成された段差部３４、４４（３４Ａ、３４Ｃ、４４Ａ、４４Ｃ）は、レセプタクルコネクタ１０とプラグコネクタ２０とが嵌合状態で、抜去方向を上方とした場合に第１の接触部５４よりも上方に位置する。これにより、コンタクト２２と接触する第１の接触部５４を支点として、突出部１３を段差部３４、４４（３４Ａ、３４Ｃ、４４Ａ、４４Ｃ）とオーバラップする位置に移動させることができる。
【００８６】
また、コンタクト１２は、ハウジング１１に片持ち支持され、ばね性を有するばね部１２ｂと、ばね部１２ｂに形成されコンタクト２２を互いの間に挟んで接触する第１および第２の接触部５４、５５とを備える。これにより、レセプタクルコネクタ１０に対してプラグコネクタ２０が抜去方向に対して傾いた場合であっても、コンタクト２２は、コンタクト１２のばね部１２ｂによって挟持された状態を維持することができる。
【００８７】
また、突出部１３は、ハウジング１１、２１の一方に形成され、係止部２３は、ハウジング１１、２１の他方に形成される。これにより、突出部１３および係止部２３をハウジング１１、２１に形成することで、レセプタクルコネクタ１０およびプラグコネクタ２０の構成が複雑になることを回避することができる。
【００８８】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００８９】
１  コネクタ装置
１０  レセプタクルコネクタ（第１のコネクタの一例）
１１  ハウジング（第１のハウジングの一例）
１２  コンタクト（第１のコンタクトの一例）
１２ｂ  ばね部
１３  突出部
２０  プラグコネクタ（第２のコネクタの一例）
２１  ハウジング（第２のハウジングの一例）
２２  コンタクト（第２のコンタクトの一例）
２３  係止部
２８  空隙
３１、３１Ａ〜３１Ｃ、４１、４１Ａ〜４１Ｃ  対向部
３２、３２Ａ〜３２Ｃ、４２、４２Ａ〜４２Ｃ  第１の領域
３３、３３Ａ、３３Ｃ、４３、４３Ａ、４３Ｃ  第２の領域
３４、３４Ａ、３４Ｃ、４４、４４Ａ、４４Ｃ  段差部
５４、５５  接触部
【図１】
2018073747.tif 000003
【図２】
2018073747.tif 000004
【図３】
2018073747.tif 000005
【図４】
2018073747.tif 000006
【図５】
2018073747.tif 000007
【図６】
2018073747.tif 000008
【図７】
2018073747.tif 000009
【図８】
2018073747.tif 000010
【図９】
2018073747.tif 000011
【図１０】
2018073747.tif 000012
【図１１】
2018073747.tif 000013
【図１２】
2018073747.tif 000014
【図１３】
2018073747.tif 000015
【図１４】
2018073747.tif 000016
【図１５】
2018073747.tif 000017
【図１６】
2018073747.tif 000018
【図１７】
2018073747.tif 000019
【図１８】
2018073747.tif 000020
【図１９】
2018073747.tif 000021
【図２０】
2018073747.tif 000022
【図２１】
2018073747.tif 000023
【図２２】
2018073747.tif 000024
【図２３】
2018073747.tif 000025
【図２４】
2018073747.tif 000026
【図２５】
2018073747.tif 000027
【図２６】
2018073747.tif 000028
【図２７】
2018073747.tif 000029
【図２８】
2018073747.tif 000030